(57)【特許請求の範囲】
【請求項１】
ビデオプレーヤーであって、
各符号化データタグが基材の識別情報と基材上での該符号化タグの位置とをコードする、基材上の符号化データタグを感知する少なくとも１つのセンサと；
前記少なくとも１つのセンサに感知された基材の識別情報と、該符号化タグの位置とを、コンピュータシステムに送信するための送信機と；
前記基材の識別情報と、該符号化タグの位置とに関連する映像データを、前記コンピュータシステムから受取る受信機と；
前記映像データに基づく映像信号を出力するための少なくとも１つの映像表示装置と；
を備えたビデオプレーヤー。
【請求項２】
受取った映像データを格納するためのメモリをさらに備えた請求項１に記載のビデオプレーヤー。
【請求項３】
ビデオプレーヤーがプレーヤーの識別情報を有し、前記プレーヤーの識別情報はメモリに格納される請求項２のビデオプレーヤー。
【請求項４】
受取った映像データに関する情報を表示する手段をさらに備えた請求項１に記載のビデオプレーヤー。
【請求項５】
ユーザが少なくとも１つのセンサを作動させることを可能にするための作動体を備えた請求項１に記載のビデオプレーヤー。
【請求項６】
前記作動体が圧力センサ、ボタン、およびスイッチから成るグループより選択される請求項５に記載のビデオプレーヤー。
【発明の詳細な説明】
【０００１】
（発明の属する技術分野）
本発明は、機械可読入力を受取り、かつ、一般に音声または視覚情報の形で人が認識可能な出力を出力するための装置に関する。より詳細には、本発明は、ある表面上の機械可読な符号化データを走査または感知して、静止画像、映像クリップ、または音声データ、もしくは音声データと視覚データの両方を出力するために使用されるビデオプレーヤーに関する。
【０００２】
（同時係属出願）
本発明に関する様々な方法、システムおよび装置が、本発明と同時に本発明の出願人または譲受人によって出願された以下の同時係属出願に開示されている。
【０００３】
PCT/AU00/01442, PCT/AU00/01444, PCT/AU00/01446, PCT/AU00/01445,
PCT/AU00/01450, PCT/AU00/O1453, PCT/AU00/01448, PCT/AU00/01447,
PCT/AU00/01459, PCT/AU00/01451, PCT/AU00/01454, PCT/AU00/01452,
PCT/AU00/01443, PCT/AU00/01455, PCT/AU00/01456, PCT/AU00/01457,
PCT/AU00/01458およびPCT/AU00/01449。
【０００４】
これらの同時係属出願の開示は、相互参照により本明細書に組込まれる。
本発明に関する様々な方法、システムおよび装置が、本発明の出願人または譲受人によって２０００年１０月２０日に出願された以下の同時係属出願に開示されている。
【０００５】
PCT/AU00/01273, PCT/AU00/01279, PCT/AU00/01288, PCT/AU00/01282,
PCT/AU00/01276, PCT/AU00/01280, PCT/AU00/01274, PCT/AU00/01289,
PCT/AU00/01275, PCT/AU00/01277, PCT/AU00/01286, PCT/AU00/01281,
PCT/AU00/01278, PCT/AU00/O1287, PCT/AU00/01285, PCT/AU00/01284
およびPCT/AU00/01283。
【０００６】
これらの同時係属出願の開示は、相互参照により本明細書に組込まれる。
本発明に関する様々な方法、システム、および装置が、本発明の出願人または譲受人によって２０００年９月１５日に出願された以下の同時係属出願に開示されている。
【０００７】
PCT/AU00/01108, PCT/AU00/01110およびPCT/AU00/O1111。
【０００８】
これらの同時係属出願の開示は、相互参照により本明細書に組込まれる。
本発明に関する様々な方法、システムおよび装置が、本発明の出願人または譲受人によって２０００年６月３０日に出願された以下の同時係属出願に開示されている。
【０００９】
PCT/AU00/00762,PCT/AU00/00763,PCT/AU00/00761,PCT/AU00/00760,
PCT/AU00/00759,PCT/AU00/00758,PCT/AU00/00764,PCT/AU00/00765,
PCT/AU00/00766,PCT/AU00/00767,PCT/AU00/00768,PCT/AU00/00773,
PCT/AU00/00774,PCT/AU00/00775,PCT/AU00/00776,PCT/AU00/00777,
PCT/AU00/00770,PCT/AU00/00769,PCT/AU00/00771,PCT/AU00/00772,
PCT/AU00/00754,PCT/AU00/00755,PCT/AU00/00756およびPCT/AU00/00757。
【００１０】
これらの同時係属出願の開示は、相互参照により本明細書に組込まれる。
本発明に関する様々な方法、システムおよび装置が、本発明の出願人または譲受人によって２０００年５月２４日に出願された以下の同時係属出願に開示されている。
【００１１】
PCT/AU00/00518, PCT/AU00/00519, PCT/AU00/00520, PCT/AU00/00521,
PCT/AU00/00522, PCT/AU00/00523, PCT/AU00/00524, PCT/AU00/00525,
PCT/AU00/00526, PCT/AU00/00527, PCT/AU00/00528, PCT/AU00/00529,
PCT/AU00/00530, PCT/AU00/00531, PCT/AU00/00532, PCT/AU00/00533,
PCT/AU00/00534, PCT/AU00/00535, PCT/AU00/00536, PCT/AU00/00537,
PCT/AU00/00538, PCT/AU00/00539, PCT/AU00/00540, PCT/AU00/00541,
PCT/AU00/00542, PCT/AU00/00543, PCT/AU00/00544, PCT/AU00/00545,
PCT/AU00/00547, PCT/AU00/00546, PCTIAU00/00554, PCT/AU00/00556,
PCT/AU00/00557, PCT/AU00/00558, PCT/AU00/00559, PCT/AU00/00560,
PCT/AU00/00561, PCT/AU00/00562, PCT/AU00/00563, PCT/AU00/00564,
PCT/AU00/00565, PCT/AU00/00566, PCT/AU00/00567, PCT/AU00/00568,
PCT/AU00/00569, PCT/AU00/0057O, PCT/AU00/00571, PCT/AU00/00572,
PCT/AU00/00573, PCT/AU00/00574, PCT/AU00/00575, PCT/AU00/00576,
PCT/AU00/00577, PCT/AU00/00578, PCT/AU00/00579, PCT/AU00/00581,
PCT/AU00/00580, PCT/AU00/00582, PCT/AU00/00587, PCT/AU00/00588,
PCT/AU00/00589, PCT/AU00/00583, PCT/AU00/00593, PCT/AU00/00590,
PCT/AU00/00591, PCT/AU00/00592, PCT/AU00/00594, PCT/AU00/00595,
PCT/AU00/00596, PCT/AU00/00597, PCT/AU00/00598, PCT/AU00/00516,
PCT/AU00/00517およびPCT/AU00/00511。
【００１２】
これらの同時係属出願の開示は、相互参照により本明細書に組込まれる。
（背景）
パーソナルコンピュータやオーガナイザーのような汎用装置と同様、テレビやビデオカセットプレーヤー／レコーダー、およびカムコーダーのような特殊目的装置も、映画のような映像データを再生するために使用可能である。これらの装置の多くは、音声書き取りのように映像データを記録するためにも使用可能である。
【００１３】
一般に、このような装置は、設置されている映像（例えば、列車駅で見かけるコンサートのポスターに関連する映像クリップや、作業上のマニュアル中のあるページに関連するデモンストレーション映像）へのアクセスを提供しない。各装置は装置を通じてアクセス可能な仮想空間を介して所望の映像データを捜し出すために使用されなければならないか、あるいは、映像データは装置互換性のある物理的フォーマットとして装置に与えられなければならない。
【００１４】
本発明は、上記に列挙した本願出願人の同時係属出願に記述された「ネットページ（ｎｅｔｐａｇｅ）」と称されるシステムに関する方法、システムおよび装置を使用する。この場合、コンピュータシステムにＧＵＩの様式で対話する表面を与えるために、目に見えない符号化データが種々の表面に配置される。
【００１５】
（発明の概要）
１つの広い形式では、本発明は、符号化データを感知することが可能な１または複数のセンサデバイスを備えた携帯型ビデオプレーヤーを提供する。符号化データを含むイメージが、ビューアによって感知され、復号化される。復号化された情報はコンピュータシステムに送信される。該コンピュータシステムは、前もって格納しておいた関連データを使用して、復号化データをシステム上に格納された映像データに関連付ける。データは、ディスプレイ画面上のビューアおよびユーザに送信される。
【００１６】
従って、１つの広い形式では、本発明はビデオプレーヤーであって、
基材上または基材中の符号化データを感知し、かつ第１のデータを生成するための少なくとも１つのセンサと；
該第１のデータまたは少なくとも部分的に該第１のデータに基づく第２のデータをコンピュータシステムに送信するための送信機と；
第１のデータに由来する識別に関連するビデオデータをコンピュータシステムから受取るための受信機と；
前記ビデオデータに少なくとも部分的に基づく視覚的表示を出力するための少なくとも１つの表示装置と；を備えたビデオプレーヤーを提供する。
【００１７】
プレーヤーは好ましくはタッチスクリーンを含み、視覚的出力は、ユーザがタッチスクリーンと対話することで該視覚的出力を変更することが可能な、対話型要素を含む。
【００１８】
またプレーヤーは、後での閲覧用に、１または複数のファイルをダウンロードする先であるメモリを含んでもよい。
本発明の１実施形態によるビデオプレーヤーは、これを使用して機械可読コードを含むページ上の映像クリップオブジェクトかハイパーリンクをクリックした場合には関連する映像クリップを再生する、コンパクトな装置である。ビデオプレーヤーは、機械可読コードを読むためのセンサ、基地局と通信するためのトランシーバ、圧縮映像／音声デコーダ、カラーディスプレイ、ディスプレイコントローラ、音声デジタル−アナログ（ＤＡ）変換器、小さい（低い）音声の増幅器、スピーカー、ステレオヘッドホンソケット、音量調節ポテンシオメーター、および制御プロセッサを有する。またビデオプレーヤーは、通常、停止（stop）、再生／一時停止（play/pause）、後方に早送り（skip back ）、前方に早送り（skip forward）等のような再生制御部を含む。ただし、これらの再生制御部は他の選択肢として、符号化基材上に印刷された形式で提供されてもよい。題名、章番号、再生時間、および一時停止状態のような映像クリップ情報は、映像上に重ねられたカラーディスプレイに一時的に示される。
【００１９】
ユーザが符号化ページ上の映像クリップオブジェクトまたはハイパーリンクにビデオプレーヤーで触れた場合、プレーヤーは自身のページセンサを介してページを感知し、基地局を介して通常の方法でリンクを復号化する。その後、プレーヤーは、基地局を介してページネットワークから映像を流す。これは再生制御部によるユーザの対話の影響を受ける。
【００２０】
音声は、スピーカーにルーティングされるか、または、プラグがステレオのヘッドホンソケットの中にある場合には付属ヘッドホンまたは他の外部オーディオ装置にルーティングされる。また、音声は、基地局から直接またはプレーヤーを介して、トランシーバを通じて無線ヘッドホンにルーティングされてもよい。
【００２１】
ビデオプレーヤーは、埋込み型携帯電話トランシーバを使用するように形成される場合、または、ビデオプレーヤーと共同動作するよう形成された携帯電話にビデオプレーヤー自体が埋込まれている場合、ｎｅｔｐａｇｅ基地局の範囲外で動作し得る。
【００２２】
（好ましい実施形態と他の実施形態の詳細な説明）
図面を参照すると、表示装置１００が示される。表示装置１００は、カラーＬＣＤスクリーン１０２、５つの制御ボタン１０４、スピーカー１０６、音量調節部１０８、オーディオ外部出力ジャック１１０および赤外線センサデバイス１１２を有する。
【００２３】
プレーヤーの本体は、上部成形体１１４と下部成形体１１６より構成され、その各々が印刷回路基板（ＰＣＢ）１１８を包囲し、すべての電子部品がこのＰＣＢ上に実装または接続されている。プレーヤーのための動力は、再充電可能な３ボルトのリチウムイオン電池１２０によって供給される。電池はユーザ交換可能でなく、本体内部に配置される。２つの成形体１１４，１１６は上部エッジ１２２で互いに留められ、上部成形体１１４のねじ付きボルト（図示しない）に係合するように下部成形体１１６の孔１２６を通じて延びる３つのねじ１２４によって一体に保持される。該ねじはＰＣＢの孔１２８を通り、下部成形体１１６に形成された下部ボス１３０と上部成形体１１４に形成されたねじ付きボルトの間にＰＢＣを挟持する。
【００２４】
ＬＣＤスクリーン１０２はＰＣＢの上側に搭載され、好ましくはフルカラーの薄膜トランジスタ型ディスプレイであるか、それと同様またはより優れたコントラストと切替速度を有するディスプレイである。このようなディスプレイにより、ビデオを許容可能な品質で再生することが可能となる。ビデオプレーヤーはタッチ画面オーバレイ１３２を含んでもよい。
【００２５】
ＰＣＢにはデータおよび動力を結合させたタイプのコネクタ１３４が接続される。コネクタ１３４には本体の開口部１３６を介してアクセス可能である。コネクタ１３４は、電池１２０の充電のための動力入力ソケット１３８と、プレーヤーへのデータの入出力用のデータソケット１４０とを備えている。コネクタ１３４は、可撓性のＰＣＢ１４２およびコネクタ１４４，１４６を介してＰＣＢに接続される。
【００２６】
スピーカー１０６も、コネクタ１４８を介してその下部エッジでＰＣＢに接続され、ＰＣＢと本体の下部エッジとの間に配置される。スピーカーは、取外し可能なコネクタに設けられるのではなく、ＰＣＢにワイヤでしっかりと留められる。オーディオ出力は、映像に関連する音声を再生し、かつ任意選択でユーザに動作フィードバックを供給するために使用される。
【００２７】
電池１２０も、ＰＣＢと本体の下部エッジとの間に配置される。取外し可能なコネクタ１５０が、ＰＣＢに電池１２０を接続するために設けられる。しかしながら、電池はユーザ交換可能に意図されていないので、永久的接続が使用されてもよい。電池は本体に適合するように形成されていることが好ましく、従って、斜角１５２を有する。
【００２８】
音量調節部１０８およびオーディオ外部出力ジャック１１０はＰＣＢの右側に直接実装され、本体の右側にある開口部１５４，１５６を介してそれぞれアクセス可能である。
【００２９】
またＰＣＢは、圧縮した視聴覚デコーダ１７８、プロセッサチップ１８０、ダイナミックＲＡＭ（ＤＲＡＭ）１８２、フラッシュまたはＲＯＭ１８４、ＬＣＤを制御するためのディスプレイコントローラ２５０、トランシーバチップ１８８およびアンテナ１９０を有している。
【００３０】
ＰＣＢの下部表面の左上の角には、基材上の赤外線マークを検知可能なセンサデバイス１１２が実装される。センサデバイス１１２はＬＥＤ１６０とイメージセンサ１６２を含む。イメージセンサ１６２は、本来的にまたはフィルタの使用により、赤外線に対する感度が高い。また、ＬＥＤ１６０は、やはり本来的にまたはフィルタの使用により、赤外線を発する。使用の際、赤外線はＬＥＤ１６０から発せられ、光ガイド１６４を通過し、次に２つのケーシング１１４，１１６によって形成された本体の開口１６６を通過する。光は、開口１６６を通り、下部成形体の光学成形体１６４を通る。光は、開口１６６を通り、光学成形体１６４を通り、イメージセンサ１６２上に集束する。光学成形体１６４は、好ましくはレンズ１６８を備え、ＬＥＤと連絡する光とイメージセンサ１６２が同じ通路を辿るようにするビーム分割器／結合器を備え得る。
【００３１】
近赤外線ＬＥＤ１６０は、捕えられた（タグ）イメージの動きのぶれを防ぐために、イメージキャプチャーと同期した状態でストロボフラッシュされ得る。イメージセンサ３０は通常、近赤外線バンドパスフィルタを備えた２００ｘ２００ピクセルＣＣＤまたはＣＭＯＳイメージセンサから構成される。
【００３２】
光ガイド１６４の自由端部分１７０は円筒形であり、圧力センサカラー１７２はその円筒形の部分１７０に摺動可能に装着される。ビデオプレーヤーがある表面に押しつけられたときにレンズ１６８ではなくカラー１７２が該表面と接触するように、カラー１７２は部分１７０の自由端を越えて延びる。カラーは、ある表面に対して押しつけられた時に、該表面とレンズ１６８との間に小さな隙間ができるように、限定量の移動を行う。レンズ１６８は、該表面に対するプレーヤーのほとんどの配向で、表面に焦点を合わせるように設計される。異なる接触角では距離が変わり、したがって、焦点深度はそのような範囲を包含する必要があることは認識されるだろう。
【００３３】
カラー１７２は、センサデバイス１１２の周囲を該センサデバイス１１２の背後に延びて、マイクロスイッチ１７４に係合する。マイクロスイッチ１７４は開位置にバイアス（偏倚）されており、マイクロスイッチ１７４に対してカラー１７２を押しつけると、スイッチ１７４のバイアス手段に打ち勝ち、マイクロスイッチ１７４が閉じられる。力を減少させると、バイアス手段はカラー１７２を外側に付勢し、再びスイッチを開く。マイクロスイッチ自体のバイアス手段に加えて、個別のバイアス手段を、スイッチ１７４の外部に設けてもよい。センサデバイスは、ネットページタグのような赤外線吸収性のタグを検知することが可能である。関連する電子プロセスを詳細に説明するため、先に言及した本願出願人の同時係属出願ＰＣＴ／ＡＵ００／００５６５について言及する。ＣＣＤ１６２、ＬＥＤ１６０およびプロセッサチップ１８０に組み込まれた処理機能は、同時係属出願に開示されたものと同様である。
【００３４】
プレーヤーは、基材上のｎｅｔｐａｇｅタグを感知および復号化でき、イメージデータはプロセッサチップ１８０に送られ、領域ＩＤ（またはページＩＤ）およびタグＩＤに復号化される。領域ＩＤとタグＩＤは、他の必要な情報と共に、トランシーバチップ１８８およびアンテナ１９０を介して、ｎｅｔｐａｇｅシステムに送信される。ｎｅｔｐａｇｅシステムは、該領域ＩＤと該タグＩＤを、プレーヤーに再送する対応文書データに解像する。これはトランシーバを介してプロセッサ１８０により受取られる。これによって、データは、ディスプレイコントローラ２５０によるＬＣＤ１０２上の表示用のデータとなる。
【００３５】
標準定義のＴＶ（ＳＤＴＶ）用のコンポーネントデジタルビデオは、５２５／５９．９４システムでの１フレーム当たり約４８８のアクティブ回線および６２５／５０システムでの１フレーム当たり５７６のアクティブ回線で、１ライン当たり７２０アクティブ輝度サンプルおよび３６０アクティブクロミナンスサンプルでサンプリングされる。５２５／５９．９４システムは、５９．９４Ｈｚの組合せフィールドレートに対応する２９．９７Ｈｚのフレームレートを有し、一方、６２５／５０システムは、５０Ｈｚの組合せフィールドレートに対応する２５Ｈｚのフレームレートを有している。１コンポーネントあたり８ビットのサンプリング（つまり輝度サンプリングレートで１ピクセル当たり１６ビット）で、両システムは、約２１Ｍｂｙｔｅｓ／ｓのデータ伝送速度を有する。この値は、各ラインが非作動サンプルを含み、各フレームが非アクティブ回線を含んでいるため、１３．５ＭＨｚの輝度サンプルレートにより示されるデータ伝送速度よりも多少低い。ＳＤＴＶのためのコンポーネントデジタルビデオは、３．３７５ＭＨｚの基準周波数に対するその輝度とクロミナンスサンプリングレートの比に関して、４：２：２として知られている。
【００３６】
４：２：０映像では、クロミナンスが、垂直の次元で輝度に関して２倍でもサブサンプリングされ、１ピクセル当たり１２ビットの輝度サンプリングと、約１６Ｍｂｙｔｅｓ／ｓのデータ伝送速度を与える。４：２：０は、以下に論じるＪＰＥＧおよびＭＰＥＧ圧縮に一般に使用される。
【００３７】
映像は通常、１ライン当たり３６０（３５２）の輝度サンプルと、１フレーム当たり２４０ライン（５２５／５９．９４）または１フレーム当たり２８８ライン（６２５／５０）とでも、特にＭＰＥＧおよび関連する映像圧縮規格の低速バージョンにて、サンプリングされるかあるいはサブサンプリングされ、約４．８Ｍｂｙｔｅｓ／ｓのデータ伝送速度を与える。ＭＰＥＧ変形例は、ＳＩＰ（標準交換フォーマット）と称され、国際電気通信連合のテレビ会議変形例は、ＣＩＦ（共通中間フォーマット）と称される。四角形ピクセルの相当物は、通常、３２０ｘ２４０で得られる。
【００３８】
記憶と通信の両方の目的で、デジタル映像ストリームを圧縮することが強く必要とされる。ＪＰＥＧ静止画像圧縮規格では、イメージのブロックが離散コサイン変換（ＤＣＴ）によって周波数ドメインに変形される。これは、比較的より低周波の係数でイメージエネルギーを集中する効果があり、より高い周波数の係数がより粗く量子化されることを可能にする。（ＪＰＥＧにおける圧縮の根本概念）１０：１以下の圧縮比では、ＪＰＥＧは無視できるイメージ劣化をもたらす。ＭＰＥＧの映像圧縮規格では、周期的な基準フレームがＪＰＥＧと同様のスキームを使用して、ランダムアクセスをサポートするためにコード化される。残りのフレームは、先のフレームに関して、あるいは先のフレームと将来のフレームに関して、ローカルブロックに基づく運動ベクトルを使用してコード化される。
【００３９】
３０Ｈｚの非インターレースのＳＩＦ分割で作動するとき、コンパクトディスクの１．５Ｍｂｉｔ／ｓデータ伝送速度を目標にしたＭＰＥＧ−１圧縮規格は、１．２Ｍｂｉｔ／ｓビットの伝送速度でＶＨＳテープと同じ品質を達成するよう一般に信頼を置かれている。
【００４０】
デジタル音は、４４．１ｋＨｚ、つまり、人の聴覚の２５番目の臨界帯の２２．０５ｋＨｚの上限カットオフ周波数の２倍で通常サンプリングされる。４８ｋＨｚのようなわずかに高いサンプリング周波数は、実際には、サンプリングに先立って２２．０５ｋＨｚのシャープなカットオフ値の音を低域通過させるのは非現実的であるため、しばしば使用される。正規量子化は１つのチャンネル当たり１６ビットであり、従って、ステレオ信号は１．４１Ｍｂｉｔ／ｓを生成する。従ってこれは、例えばオーディオコンパクトディスク（エラー訂正オーバヘッドが無視される場合）を始めとする多くの共通デジタルオーディオアプリケーションのデータ伝送速度である。
【００４１】
典型的な１．４１Ｍｂｉｔ／ｓのデジタル映像データ伝送速度は重要であるため、デジタル音声信号を圧縮する好材料となる。最も成功しているデジタル音声圧縮スキームは知覚による基礎を有している、つまり、そのようなスキームは、人間の聴覚の閾値の周波数依存性と信号依存性マスキングを利用しており、それにより、比較的より大きな音が閾値曲線を局部的に上昇させ、比較的低い隣接する音をマスクすることができる。また音声圧縮は、通常、エントロピー符号化のような従来の圧縮技術にも依存している。多重チャネル音声では、チャンネル間冗長度（redundancy）も一般に活用される。
【００４２】
ＭＰＥＧオーディオレイヤ−３（ＭＰ３）規格は、１６：１〜１２：１の間の圧縮比の「近接ＣＤ」および「ＣＤ」品質再生を達成する知覚的符号化を使用している。つまり、データ伝送速度を１．４１Ｍｂｉｔ／ｓから８８Ｋｂｉｔ／ｓ〜１１８Ｋｂｉｔ／ｓの間へと低下させる。
【００４３】
プレーヤーは、四角形ピクセルの漸進的走査デジタル映像およびデジタル音声を生成する、専用の圧縮映像／音声デコーダ１７８を有する。例えば、ＭＰＥＧ−１で符号化された映像と音声を取り扱うためには、Ｃ−Ｃｕｂｅ  ＣＬ６８０デコーダに類似の映像／音声デコーダが使用され得る。ＭＰＥＧ−２で符号化されたビデオと音声を取り扱うためには、Ｃ−ＣｕｂｅのＺｉＶＡ−３デコーダに類似の映像／音声デコーダが使用され得る。ＭＰＥＧ−１デコーダは一般に符号化の間、４Ｍｂｉｔ  ＤＲＡＭを使用する。その一方で、ＭＰＥＧ−２デコーダは一般に符号化の間、１６Ｍｂｉｔ  ＳＲＡＭを使用する。デコーダメモリ１７９はデコーダ専用のものであってもよいし、あるいはプロセッサと共有されるメモリ１８２の一部であってもよい。
【００４４】
いかなる多くの他の映像／音声符号化規格も、ＲｅａｌＮｅｔｗｏｒｋｓのＲｅａｌＶｉｄｅｏを始めとする適切な映像／音声デコーダによって支援され得る。
【００４５】
デコーダによって解凍されたデジタル映像は、ディスプレイコントローラ２５０によってカラーディスプレイ１０２に表示される。
デコーダによって解凍されたデジタル音声は、デジタル−アナログ変換器（ＤＡＣ）１８３によってアナログに変換され、音量調節を受ける増幅器１８５によって増幅され、オーディオジャック１１０によってスピーカー１０６または外部オーディオ装置に出力される。オーディオジャック１１０が使用されているとき、スピーカー１０６は無効になる。
【００４６】
プロセッサチップはプロセッサの種々の電子部品コンポーネントを制御かつ調整するプロセッサユニット１８１を含む。プロセッサユニット１８１はタグセンサ１６２を介して、下にあるページの識別および該ページに関するプレーヤーの位置を監視するソフトウェアを実行し；該識別と該位置データを無線トランシーバ１８８を介してｎｅｔｐａｇｅ基地局に連絡し；トランシーバ１８８を通じて基地局から映像クリップ情報およびストリーミング映像データを取得し；状態ディスプレイ１０２にクリップ情報を表示し；音声デコーダ１８３を通じてストリーミング音声データを音声出力に解凍し；ユーザインタフェースボタン１０４によって、捕えられたユーザ入力を解釈する。プロセッサによって実行される埋込み型ソフトウェアは、典型的にはＲＯＭおよび／またはフラッシュメモリの形で不揮発性メモリ１８４に格納される。プレーヤーに固有の識別情報も、通信暗号キーと同様に、不揮発性メモリに格納されてよい。実行中プロセッサは、通常６４Ｍｂｉｔ（８Ｍｂｙｔｅ）ダイナミックＲＡＭ（ＤＲＡＭ）の形をした、より高速の揮発性メモリを使用する。
【００４７】
圧縮された映像データの伝送速度が１．２Ｍｂｉｔ／ｓ（例えば３０ＨｚのＭＰＥＧ−１  ＳＩＦ）であると仮定すると、プレーヤーのメモリ１８２は１分間の圧縮映像（ステレオ音声を含む）を保持することが可能である。圧縮比がより高くなるかメモリがより大きくなると、それに対応してより長いクリップを保持することが可能である。ストリーミング再生がプレーヤーによって使用される場合、送信ジッタを除去するためには小さなオーディオバッファのみが必要とされるので、非常に小さなメモリが使用され得る。
【００４８】
プロセッサユニット１８１は共有バス１８７を介して他の構成要素と連絡する。プロセッサ、バスおよび任意の数の他の構成要素が、１つのチップに集積され得る。ブロック図に示されるように、そのような集積構成要素には、デジタルトランシーバコントローラ１８９、映像デコーダインタフェース１９１およびタグイメージセンサインタフェース１９３が含まれ得る。バス１８７と、ボタン１０４、ＬＥＤ１６０、タッチセンサ１３２、および接点スイッチ３９との間には並列インタフェース１９５が配置される。より高度に集積されたチップでは、集積構成要素には、映像デコーダ１７８、音声ＤＡＣ１８３、タグイメージセンサ１６２およびメモリ１８２もさらに含まれ得る。アナログ無線トランシーバ１８８は、同じチップに集積される可能性は少ないが、同じパッケージに集積される可能性がある。
【００４９】
プレーヤーが専用の映像／音声デコーダ１７８を組込んでいるため、プロセッサユニット１８１は、他の構成要素を制御および調整するのに十分に強力でありさえすればよい。代わりに、映像／音声デコーダを省略し、より強力なプロセッサを使用してソフトウェアに圧縮した映像および音声を復号化することもできる。
【００５０】
トランシーバ１８８は通常、交信距離の短いラジオトランシーバである。トランシーバ１８８はＢｌｕｅｔｏｏｔｈ／ＩＢＥＥ  ８０２．１５、ＩＥＥＥ  ８０２．１１、ＨｏｍｅＲＦ／ＳＷＡＰ、ＨＩＰＥＲＬＡＮおよびＯｐｅｎＡｉｒを含めた多くのワイヤレス送信規格のうちのいずれを支援してもよい。Ｂｌｕｅｔｏｏｔｈ／ＩＢＥＥ  ８０２．１５，ＩＥＥＥ８０２．１１−１９９７，ＨＩＰＥＲＬＡＮ，ＯｐｅｎＡｉｒ、およびＨｏｍｅＲＦ／ＳＷＡＰはいずれも、１〜２Ｍｂｉｔ／ｓの範囲の伝送速度を支援する。ＩＥＥＥ  ８０２．１１ｂは、５．５Ｍｂｉｔ／ｓおよび１１Ｍｂｉｔ／ｓの伝送速度を支援する。またＨＩＰＥＲＬＡＮは、代替モードで、２４Ｍｂｉｔ／ｓの伝送速度を支援する。以上挙げた現在支援されている無線ＬＡＮ（ＷＬＡＮ）規格を越えて、次世代ＷＬＡＮ規格は、１００Ｍｂｉｔ／ｓおよびそれを超える伝送速度を支援することを約束する。
【００５１】
他の選択肢として、プレーヤーはケーブルを介して基地局に接続されてもよいし、または赤外線のような無線周波数ではないワイヤレス移送を利用してもよい。例えばＩＥＥＥ８０２．１１は、任意選択で赤外線移送を利用する。ＩｒＤＡも赤外線移送を利用する。
【００５２】
プレーヤーは、他の選択肢としてまたは追加的に、携帯電話ネットワークを通じたｎｅｔｐａｇｅサーバとの交信距離がより長い通信用の、携帯電話トランシーバを備え得る。トランシーバが第３世代「常時オン状態の」パケット交換接続を支援する場合、プレーヤーはオーディオ内容を思いのままにダウンロードしたりストリーミングしたりすることができる。トランシーバが単に回線交換接続を支援する場合、プレーヤーはハイパーリンクに遭遇する場合に限り接続する（かつ潜在的にオーディオ内容をストリームする）ことを選択することができる。
【００５３】
プレーヤーが交信距離のより長いトランシーバを内蔵した場合、プレーヤーはワイヤレスのｎｅｔｐａｇｅペンや他のｎｅｔｐａｇｅ感知デバイスのためのｎｅｔｐａｇｅ基地局として機能し得る。
【００５４】
圧縮映像データ伝送速度を１．２Ｍｂｉｔ／ｓ（例えば３０ＨｚのＭＰＥＧ−１  ＳＩＦ）と仮定すると、受信機は少なくとも１．２Ｍｂｉｔ／ｓのデータ伝送速度をサポートしなければならない。これは、上述の無線送信規格のうちのいくつかの能力の範囲内にある。それより低い（または高い）データ伝送速度は、フレーム解像度の減少（増加）、フレームレートの増大（低下）および／または画質の低下（向上）により容易に達成することが可能である。ｎｅｔｐａｇｅネットワークは、必要な場合、サーバでまたは基地局で、特定のプレーヤーの能力に適合させるために圧縮ビデオストリームを動的に再コード化することが可能である。
【００５５】
プレーヤーは符号１０４で一般に示される５個のボタンによって制御される。５個のボタンは動力ボタン１９２、再生ボタン１９４、停止ボタン１９６、巻戻しボタン１９８および前方の高速先送りボタン２００である。これらのボタンは、上部成形体１１４とＰＣＢ１１８の間に挟まれ、スイッチ２０２，２０４，２０６，２０８，２１０にそれぞれ作用する。
【００５６】
プレーヤーには、ピン２１８によって隣接する端部で一緒に蝶番式に留められた２つの脚部すなわち翼部２１４，２１６から成るスタンド２１２が設けられる。ピン２１８は、２つの翼部の円筒形の孔２２０，２２２の互い違いのセットに係合する。翼部２１４は回転するよう一体ピン２２４によって下部成形体１１６上に他端で取り付けられる。翼部２１６は回転かつ摺動するよう一体ピン２２６により下部成形体１１６上に他端で取り付けられる。ピン２２６は、下方へ延びるレール２３０のスロット２２８に係合する。スロットは２つの脚部が２つのレール間に水平に置かれることを可能にする程度に十分に長い。レール２３０は下部成形体の略平面から脚部の厚さを越えて延び、その結果、プレーヤーが平坦に折り畳まれた時にはプレーヤーが翼部ではなくレール上に落ち着くようになっている。スロットは滑らかではなく、ピンの移動を制限する多くの突出部２３２を有する。その結果、脚部は、プレーヤーが落ち着く表面に対してプレーヤーを傾けるべく、多くの位置のうちの１つに配置され得る。
【００５７】
図１１を参照すると、使用の際、ユーザは１または複数のｎｅｔｐａｇｅタグ２０２が表面に張られた基材２００を有する。明瞭さのため、タグのいくつかだけを示している。基材２００は紙であってもよいし、Ｅ−ｉｎｋコーポレーションによって使用されるような電子ペーパー、プラスチックシート、または他の適切な基材であってもよい。基材は、人が判読可能なテキスト２０４（通常、ユーザが見るのに利用できる１または複数の映像のタイトル）の１または複数のエントリを掲載している。人が判読可能なテキストは、任意選択で、摘要や小さなロゴまたは絵を含んでもよい。エントリはそれ自体、摘要の選択によりユーザがエントリを選択できるか、個別の選択「ボタン」が映像を選択するために設けられるという点で「アクティブ」であり得る。ページ全体にｎｅｔｐａｇｅタグが張られてもよいし、あるいはタグは「アクティブ」領域のみに設けられてもよい。映像を選択するために、ユーザは単に、関連する「アクティブ」領域上でセンサデバイス１１２をクリックするだけでよい。
【００５８】
センサデバイス１１２は、１または複数のタグ２０２を感知し、符号化情報を復号化し、ｎｅｔｐａｇｅシステムにこの復号化情報を送信する。本願出願人の同時係属出願ＰＣＴ／ＡＵ００／００５６１に論じられているように、各タグはそれを載せているページと該ページ内でのタグの位置を識別するデータを組込んでいる。ｎｅｔｐａｇｅシステムは、どの映像ファイルが感知タグに対応付けられるかを決定でき、映像ファイルを抽出し、ＬＣＤ上での表示用に該ファイルをプレーヤーに送信することができる。
【００５９】
データは好ましくはＭＰＥＧフォーマットで圧縮され、プレーヤー１００にストリームされる。データはアンテナ１９０およびトランシーバ１８８を通じて受取られ、復号化のために専用ＭＰＥＧデコーダ１７８に渡される。その後、復号化されたデータは、カラーディスプレイ１０２上での表示のために、ディスプレイコントローラ２５０に転送される。ストリーミング映像は、送信ジッタを除去するためにプレーヤーのＤＲＡＭ１８２にバッファ記憶される。必要なバッファのサイズは、無線帯域幅コンテンションおよびストリーミングデータを供給するサーバ用のコンテンションによって左右される。
【００６０】
ビデオ再生の制御は制御ボタン１０４によって行われる。ユーザがボタンのうちの１つを押すと、プロセッサ１８０はボタンの機能を決定し、ｎｅｔｐａｇｅシステムに適切な命令を送る。その命令により、システムはプレーヤーへのデータの送信を変更するか停止する。
【００６１】
映像クリップが選択された後でかつ再生が始まる前に、ディスプレイは、タイトルおよび任意選択でビデオの再生時間を表示するように変わってもよい。ユーザが専用の制御ボタンではなくスクリーンによってプレーヤーを制御できるように、任意選択で、再生、高速先送り、巻き戻し停止、一時停止のような制御を、表示してもよい。
【００６２】
ビデオプレーヤーは任意選択で、マイクロホン、ビデオカメラおよび記録ボタンを備える。プレーヤーは、音声および／または映像入力を記録するために使用可能であり、したがって別の種類のｎｅｔｐａｇｅ入力を提供する。記録された入力は、例えば、ビデオプレーヤーに関する位置でクリックすることにより、アノテーションの形でｎｅｔｐａｇｅの上の位置と関連付けられ得る。ビデオプレーヤーを用いて同じ位置で続けてクリックすると、音声および／または映像アノテーションが再生される。物体の表面が普遍的にｎｅｔｐａｇｅに対応している場合、すなわち、固有のｎｅｔｐａｇｅタグで標識されている場合、音声および／または映像アノテーションはほとんどどんな位置にも配置することが可能である。そのような音声／映像アノテーションは私的なものであっても公的なものであってもよい。アノテーションが私的なものである場合、それは作成者のみにより再生可能である。アノテーションが公的なものである場合、それは誰にでも再生可能である。
【００６３】
マイクロホンとビデオカメラを組込んでいる場合、ビデオプレーヤーは、電話方式アプリケーションの管理下で無線電話またはビデオ電話として機能するように形成することが可能である。プレーヤーは番号のダイヤルのためのユーザインタフェースを欠くため、番号は、本願出願人の同時係属出願ＰＣＴ／ＡＵ００／０１４４２に記述された方法でｎｅｔｐａｇｅから選択することが可能である。
【００６４】
映像クリップはハイパーリンクの形でｎｅｔｐａｇｅと対応付けられ得る。その場合には、ビデオプレーヤーによるハイパーリンクの起動は、プレーヤーに映像クリップを供給する責を負うアプリケーションによって結局取り扱われる。また、映像クリップは、ページ記述内の映像クリップオブジェクトとして論理的に埋込まれてもよい。その場合、クリップ起動は、ページ記述を保持するページサーバによって結局取り扱われる。映像クリップオブジェクトの領域でのいかなるクリックも、映像クリップ起動としてページサーバによって解釈される。いずれの場合も、実際の映像クリップは別個の遠隔サーバ上に格納され得る。遠隔サーバは、映像クリップのストリーミング再生かダウンロードに関連し得る。
【００６５】
ビデオプレーヤーは、ユーザによって起動された映像クリップを再生用に入手する前に、自身の内部メモリに該映像クリップをダウンロードすることが可能である。あるいは、ビデオプレーヤーは、プレーヤーの再生制御と対話するユーザに応答して、遠隔サーバからオンデマンドで映像クリップをストリームすることが可能である。プレーヤーは、ダウンロードされたビデオデータの格納用にフラッシュメモリ、磁気ディスク、ＣＤライターあるいはＣＤリライターのような不揮発性記憶装置を備えていてもよい。ダウンロードされたデータと装置識別に関する本願出願人の同時係属出願ＰＣＴ／ＡＵ００／０１４５９に概説されたスキームが、ビデオデータの記憶用に使用され得る。
【００６６】
プレーヤーは通常パワーマネージメントを組込んでいる。非作動の期間後、プレーヤーは状態ディスプレイを不起動化してもよい。より長い非作動の期間後に、プロセッサは電力保存のための静止状態を入力し得る。パワーマネージメントは、ページ対話での起床を許容するタグセンサマイクロスイッチと接続され得る。またプレーヤーは、この目的で加速度計を組込んでもよい。
【００６７】
本発明を、目に見えないタグを使用するｎｅｔｐａｇｅシステムに関して説明してきたが、本発明は、ｎｅｔｐａｇｅシステムや目に見えないタグの使用に制限されるわけではない。所望の場合、本発明は、バーコードのような、助けを借りない平均的な人の目に見えるタグやコードを使用してもよい。タグは、その後、関連ファイルを調べるために使用される識別のみを符号化する必要はない。タグはより高いレベルにおける命令を符号化してもよい。例えば、タグは「９９章を再生せよ」という命令を符号化し得る。目に見えないタグが使用される場合、そのようなタグは、ｎｅｔｐａｇｅシステムに関して開示されたタグに制限される必要はない。他のタグ付けシステムが使用可能であり、また、いかなる適切なタグ付けシステムが使用されてもよい。本発明はある波長を吸収するかある波長を発光するインキの使用に制限されない。磁気インキ、孔を含めた表面の改変、基材自体の構造の改変は、すべて本発明の範囲内に含まれる。本発明の音声プレーヤーおよび音声ファイルのソースをリンクするシステムおよび方法は、ｎｅｔｐａｇｅシステムに制限されない。ビデオプレーヤーは複数のコンピュータのネットワークではなく、単一のコンピュータに対してケーブルによりリンクされ得る。
【００６８】
本発明を、好ましい実施形態および多くの特定の代替実施形態に関して説明してきた。しかしながら、特に説明したものとは異なる多くの他の実施形態も、本発明の精神および範囲に包含されることが、関連分野における当業者には理解されよう。従って、適宜相互参照により組み込んだ文書を含めた、本明細書に記載された特定の実施形態に本発明が制限されることは意図していない。本発明の範囲は特許請求の範囲によってのみ制限される。
【図面の簡単な説明】
【図１】本発明の実施形態によるビデオプレーヤーを上から見た斜視図。
【図２】図１のプレーヤーを下から見た斜視図。
【図３】図１のプレーヤーを上から見た分解斜視図。
【図４】図１のプレーヤーの背面側面図。
【図５】図１のプレーヤーの上から見た平面図。
【図６】図１のプレーヤーの右側面図。
【図７】図５のＡＡ線に沿って切断した横断面図。
【図８】図１のプレーヤーの内部構成要素を上から見た斜視図。
【図９】図１のプレーヤーの内部構成要素を下から見た斜視図。
【図１０】図１のプレーヤーのＰＣＢの裏側の分解斜視図。
【図１１】符号化された基材上で使用している最中の図１のプレーヤーを示す斜視図。
【図１２】プレーヤーの電子部品のブロック図。
【図１】
0004663194.tif 000002
【図２】
0004663194.tif 000003
【図４】
0004663194.tif 000004
【図５】
0004663194.tif 000005
【図６】
0004663194.tif 000006
【図７】
0004663194.tif 000007
【図８】
0004663194.tif 000008
【図９】
0004663194.tif 000009
【図１０】
0004663194.tif 000010
【図１２】
0004663194.tif 000011
【図３】
0004663194.tif 000012
【図１１】
0004663194.tif 000013